(57)【特許請求の範囲】
【請求項１】
固定的に設置される固定浴槽と、
湯水の供給及び供給した湯水の追い焚きを行う風呂釜と、
この風呂釜と上記固定浴槽とを互いに接続する往き管路及び戻し管路からなり、上記固定浴槽側の各開口端部がその固定浴槽に対し湯水の供給及び循環可能に連結されている循環配管と、
随時に設置されるサブ浴槽と、
このサブ浴槽に対し各一端部が開口するように延び各他端部が上記循環配管の往き管路及び戻し管路に対し各別に連通するよう着脱可能に接続される一対の延長接続管と
を備え、
一方の延長接続管はその一端部が上記サブ浴槽の浴槽壁にある吸い込み口に接続され他端部が上記固定浴槽に連結されている循環配管の戻し管路に連通されて戻し側の延長接続管とされ、他方の延長接続管はその一端部が上記サブ浴槽の浴槽壁にある吐出口に接続され他端部が上記固定浴槽に連結されている循環配管の往き管路に連通されて往き側の延長接続管とされるように構成されている
ことを特徴とする随時設置式風呂システム。
【請求項２】
請求項１において、
延長接続管の各他端部は固定浴槽内に開口する循環配管の両開口端部に対し各別に連通するように接続されるコネクタを備えている
ことを特徴とする随時設置式風呂システム。
【請求項３】
請求項１において、
循環配管の往き管路及び戻し管路には風呂釜と固定浴槽との各中間位置から分岐して上記固定浴槽の設置空間とは異なる空間に面する壁面まで予め延ばされた一対の分岐管路が設けられ、
この一対の分岐管路の各先端部には上記壁面に予め固定されて上記各先端部を閉状態に維持するコンセントが設けられており、
一対の延長接続管の各他端部にはこの各他端部を閉状態に維持しかつ上記コンセントに対し着脱可能に嵌合接続されるプラグが設けられ、このプラグを上記コンセントに嵌合接続することにより上記一対の延長接続管の各他端部が上記循環配管の対応する管路に連通されるように構成されている
ことを特徴とする随時設置式風呂システム。
【請求項４】
随時に設置されるサブ浴槽と、
湯水の供給及び供給した湯水の追い焚きを行う風呂釜と、
上記サブ浴槽への注湯及び注湯した水の追い焚きのために建物に対し予め設置されるものであって上記風呂釜から各先端部が上記サブ浴槽を随時設置する予定空間に面する壁面まで予め延ばされた往き管路及び戻し管路からなる循環管路と、
上記サブ浴槽に対し各一端部が開口するように延びかつ各他端部が上記循環配管の往き管路及び戻し管路の両先端部に対し各別に連通するよう着脱可能に接続される一対の延長接続管と
を備え、
上記循環管路の往き管路及び戻し管路の各先端部には上記壁面に予め固定されて上記各先端部を閉状態に維持するコンセントが設けられている一方、
上記一対の延長接続管の各他端部にはこの各他端部を閉状態に維持しかつ上記コンセントに対し着脱可能に嵌合接続されるプラグが設けられ、このプラグを上記コンセントに嵌合接続することにより、上記一対の延長接続管の内の一方の延長接続管はその一端部が上記サブ浴槽の浴槽壁にある吸い込み口に接続され他端部が上記戻し管路の先端部に連通され、他方の延長接続管はその一端部が上記サブ浴槽の浴槽壁にある吐出口に接続され他端部が上記往き管路の先端部に連通されるように構成されている
ことを特徴とする随時設置式風呂システム。
【請求項５】
随時に設置されるサブ浴槽と、
給湯機能を有し暖房用温水を循環供給する温水供給器と、
この温水供給器と建物の各室内に設置された暖房機器とを互いに接続するよう予め配管された往き管路及び戻し管路からなる循環配管と、
上記サブ浴槽に対し各一端部が開口するように延び各他端部が上記循環配管の往き管路及び戻し管路に対し各別に連通するよう着脱可能に接続される一対の延長接続管と、
上記循環配管の往き管路及び戻し管路にはそれぞれ中間位置から建物の各室の少なくとも一の室内に面する壁面まで予め延ばされた一対の分岐管路と
を備え、
上記一対の分岐管路の各先端部には上記壁面に予め固定されて上記各先端部を閉状態に維持するコンセントが設けられている一方、
上記一対の延長接続管の各他端部にはこの各他端部を閉状態に維持しかつ上記コンセントに対し着脱可能に嵌合接続されるプラグが設けられ、このプラグを上記コンセントに嵌合接続することにより、上記一対の延長接続管の内の一方の延長接続管はその一端部が上記サブ浴槽の浴槽壁にある吸い込み口に接続され他端部が上記戻し管路の分岐管の先端部に連通され、他方の延長接続管はその一端部が上記サブ浴槽の浴槽壁にある吐出口に接続され他端部が上記往き管路の分岐管の先端部に連通されるように構成されている
ことを特徴とする随時設置式風呂システム。
【請求項６】
請求項１、請求項４、請求項５のいずれかにおいて、
サブ浴槽には吐出口及び吸い込み口を備えた循環アダプタがサブ浴槽に対し内外方向に貫通して取り付けられ、
一対の延長接続管の各一端部は上記循環アダプタに対しその吐出口及び吸い込み口に各別に連通するよう着脱可能に接続されている
ことを特徴とする随時設置式風呂システム。
【請求項７】
請求項３または請求項５において、
循環管路と各分岐管路とは三方切換弁を介して接続され、循環管路はその三方切換弁により各分岐管路側及び循環管路の延長側のいずれか一方にのみ連通するように構成されている
ことを特徴とする随時設置式風呂システム。
【請求項８】
請求項３、請求項４、請求項５のいずれかにおいて、
コンセントには分岐管路の先端部を閉状態に維持するように付勢された第１閉止弁が内蔵されている一方、
プラグには延長接続管の他端部を閉状態に維持するように付勢された第２閉止弁が内蔵され、
上記第第１及び第２の両閉止弁は、上記プラグとコンセントとを互いに嵌合させた際の押圧力を受けてそれぞれの付勢力に抗して開状態に位置変換するように構成されている
ことを特徴とする随時設置式風呂システム。
【発明の詳細な説明】
【０００１】
【発明の属する技術分野】
本発明は、例えば新生児もしくは幼児等の入浴に際し保護が必要な被保護者や、在宅療養中の病人もしくは在宅介護を受けている老人等の浴室内に固定的に設置されている浴槽までの移動が困難な被介護者等を入浴させるためまたは入浴を可能にするために用いられる随時設置式風呂システムに関する。
【０００２】
【従来の技術】
従来より、被介護者の入浴のために浴室内に固定的に設置された浴槽とは別に随時に設置される浴槽あるいは固定的ではあっても簡易な浴槽として、空気膨張式のもの、組立式のもの、あるいは、収納式のもの等の種々のものが知られている（例えば、特開平９−３０８６６５号公報、特開平９−３０８６６６号公報、登録第３０４３９１７号公報参照）。これらのものでは、その浴槽に対する注湯、排出のための設備はなく、別にポンプを用意してこのポンプにより注湯等を行っている。
【０００３】
一方、病院施設等の同一浴室内に一般浴槽と、医療用の特殊な扉開閉式浴槽とを共に設置し、上記一般浴槽内に貯湯された湯水を上記扉開閉式浴槽に対し移送させるようにしたものも知られている（例えば特開平９−３０８６６７号公報参照）。このものでは上記一般浴槽を貯湯槽としてこの貯湯槽のお湯に一端を浸漬させ他端を上記扉開閉式浴槽に連通させた１本の配管を予め設置し、この配管の途中にポンプを介装させている。そして、この配管の途中にポンプを通過する給湯用・排水用の二つの管路を設けかつ排水のための三方切換弁を設けている。
【０００４】
【発明が解決しようとする課題】
ところで、上記の如き被保護者の入浴において、冬季に寒い浴室内ではなくて暖かい居室内で新生児を入浴させたいという場合に、新生児用のごく小さなバスタブを用いて新生児のみを入浴させるのではなくて、その新生児と共に親も一緒に入浴したいという要求がある。また、上記の如き被介護者を入浴させる場合においても、特に冬季における居室と浴室との雰囲気温度差による身体的負担軽減のために被介護者を暖かくした居室内で入浴させたいという要求がある。このような要求がある場合に、上記従来の随時に設置される浴槽等を利用することも考えられる。
【０００５】
ところが、上記従来の随時に設置される浴槽等においては、その浴槽に対する注湯及び排出のためにバケツ等により何度も湯水を運搬する等の重労働が必要となる。ここで、市販のホースと市販の電動ポンプとを用意すれば、何らかの貯湯槽からの注湯と、ポンプの向きを逆にしての排水とは可能であるものの、入浴中に湯温が低下した場合には湯張りされている湯水を適当量排出した後により熱い新たな湯水をバケツ等により運んで追加供給するしかなく、そのために重労働が必要になる。しかも、入浴後は比較的大量の湯水を排出するためにかなり遠くの排水口までホースを延ばす必要がある。
【０００６】
一方、上記従来の病院施設等に設置された扉開閉式浴槽に対するような上記の配管を一般家庭内に設置することも考えられるものの、この場合においても貯湯槽（一般浴槽）内に貯湯された湯水を単に移送するに過ぎないため、扉開閉式浴槽内の湯温が低下した場合には上記貯湯槽内にさらに高温の湯水を貯湯しそれを上記扉開閉式浴槽に追加供給するという煩雑な操作を行う必要がある。あるいは、より熱い湯水をバケツ等により運んで追加するという重労働が必要となる。特に、一般家庭の浴室以外の部屋に浴槽を随時に設置した場合には、大空間への放熱により湯温の低下は避けられず、被介護者の入浴の際には湯温の維持もしくは湯温の調整は必須の作業となる。加えて、配管の途中にポンプや多数の三方切換弁等の設備を予め介装させる必要があるために、そのような配管を特に一般家庭等において配置するにはその取り扱いに困難を伴うことになる。
【０００７】
本発明は、このような事情に鑑みてなされたものであり、その目的とするところは、随時に設置される浴槽に対する注湯、注湯された湯水の追い焚き、及び、その湯水の排水を共に容易に可能にし、被保護者もしくは被介護者の入浴を簡易にかつ快適に実現し得る随時設置式風呂システムを提供することにある。
【０００８】
【課題を解決するための手段】
上記目的を達成するために、第１の発明は、既設の風呂釜及びこの風呂釜から延びる既設の循環配管等を給湯源として利用し、このような給湯源と、随時設置されるサブ浴槽とを延長接続管により直接的に接続することにより、注湯、追い焚き循環及び排水を容易に可能としたものである。
【０００９】
具体的には、第１の発明は、固定的に設置される固定浴槽と、湯水の供給及び供給した湯水の追い焚きを行う風呂釜と、この風呂釜と上記固定浴槽とを互いに接続する往き管路及び戻し管路からなり上記固定浴槽側の各開口端部がその固定浴槽に対し湯水の供給及び循環可能に連結されている循環配管と、随時に設置されるサブ浴槽と、このサブ浴槽に対し各一端部が開口するように延び各他端部が上記循環配管の往き管路及び戻し管路に対し各別に連通するよう着脱可能に接続される一対の延長接続管とを備え、一方の延長接続管はその一端部が上記サブ浴槽の浴槽壁にある吸い込み口に接続され他端部が上記固定浴槽に連結されている循環配管の戻し管路に連通されて戻し側の延長接続管とされ、他方の延長接続管はその一端部が上記サブ浴槽の浴槽壁にある吐出口に接続され他端部が上記固定浴槽に連結されている循環配管の往き管路に連通されて往き側の延長接続管とされる構成とすることを特定事項とするものである。
【００１０】
上記一対の延長接続管のサブ浴槽に対する接続は、給湯時には一対の延長接続管の各一端部をサブ浴槽の上からサブ浴槽内に垂らしておき、追い焚き循環時には注湯された湯水中に水没させた状態にするだけでもよいし、あるいは、サブ浴槽に対し専用の循環アダプタを予め取り付けておき、この循環アダプタに対し上記一対の延長接続管の各一端部を着脱可能に接続するようにしてもよい。この場合の循環アダプタとしては吐出口及び吸い込み口を備えサブ浴槽に対し内外方向に貫通するように取り付けられたものとし、上記一対の延長接続管を上記吐出口及び吸い込み口に各別に連通するように接続すればよい。
【００１１】
また、上記一対の延長接続管を、循環配管の往き管路及び戻し管路に対しいずれの位置に接続させるかについては、以下の二通りの内のいずれを採用してもよい。
【００１２】
第１は、上記一対の延長接続管の各他端部にコネクタを設け、このコネクタを固定浴槽内に開口するように連結された循環配管の両開口端部に対し着脱可能に接続する。
【００１３】
第２は、上記循環配管に対しその途中位置から分岐する一対の分岐管路を設け、この一対の分岐管路に対し上記一対の延長接続管を接続する。この第２の場合には、上記一対の分岐管路を固定浴槽の設置空間とは異なる空間、つまりサブ浴槽が随時に設置される空間に面する壁面にまで延びるように建物内に予め配管設置するようにすればよい。そして、その各先端部には常時は閉状態に維持するコンセントを設け、そのコンセントを上記壁面から室内に露出するようにしておけばよい。一方、これに接続される一対の延長接続管の端部には常時は閉状態に維持されるプラグをそれぞれ設け、このプラグを上記コンセントに着脱可能に嵌合接続させるようにすればよい。
【００１４】
このコンセントとプラグとの組み合わせを用いる場合には、コンセント側にはそれを閉状態に維持するように付勢された第１閉止弁を、プラグ側にもそれを閉状態に維持するように付勢された第２閉止弁をそれぞれ内蔵し、上記の嵌合接続の際の押圧力を受けることにより両閉止弁がそれぞれの付勢力に抗して開状態に位置変換するようにすればよい。
【００１５】
加えて、上記の如く分岐管路を設ける場合には循環配管との分岐部位に三方切換弁を介装し、この三方切換弁の切換操作もしくは切換制御により循環配管を分岐管路側もしくは循環配管の延長側のいずれか一方にのみ連通するようにすればよい。なお、上記の三方切換弁を設けない場合には、固定浴槽内に開口している循環配管の両開口端部を何らかの閉止部材により閉状態にすることにより、上記分岐管路を通しての給湯もしくは追い焚きのための湯水の循環が可能になる。
【００１６】
第２の発明は、風呂釜にサブ浴槽のための専用の循環配管を設け、この循環配管を風呂釜からサブ浴槽が随時に設置される予定空間、つまり設置される予定の部屋まで予め設置しておくようにしたものである。
【００１７】
具体的には、第２の発明は、湯水の供給及び供給した湯水の追い焚きを行う風呂釜と、上記サブ浴槽への注湯及び注湯した水の追い焚きのために建物に対し予め設置されるものであって上記風呂釜から各先端部が上記サブ浴槽を随時設置する予定空間に面する壁面まで予め延ばされた往き管路及び戻し管路からなる循環管路と、上記サブ浴槽に対し各一端部が開口するように延びかつ各他端部が上記循環配管の往き管路及び戻し管路の両先端部に対し各別に連通するよう着脱可能に接続される一対の延長接続管とを備えるものである。加えて、上記循環管路の往き管路及び戻し管路の各先端部には上記壁面に予め固定されて上記各先端部を閉状態に維持するコンセントを設ける一方、上記一対の延長接続管の各他端部にはこの各他端部を閉状態に維持しかつ上記コンセントに対し着脱可能に嵌合接続されるプラグを設け、このプラグを上記コンセントに嵌合接続することにより、上記一対の延長接続管の内の一方の延長接続管はその一端部が上記サブ浴槽の浴槽壁にある吸い込み口に接続され他端部が上記戻し管路の先端部に連通され、他方の延長接続管はその一端部が上記サブ浴槽の浴槽壁にある吐出口に接続され他端部が上記往き管路の先端部に連通される構成とすることを特定事項とするものである。
【００１８】
この第２の発明においても、サブ浴槽と一対の延長接続管との接続をサブ浴槽に取り付けた循環アダプタにより第１の発明において説明したものと同様に行うようにすればよい。また、コンセント及びプラグを第１の発明において説明したものと同様に、閉状態に維持するように付勢され嵌合時の押圧力を受けて開状態に位置変換する第１もしくは第２の閉止弁を備えるようにすればよい。
【００１９】
第３の発明は、既設の温水供給器と、この温水供給器から建物内の暖房用として既設の循環配管等を給湯源として利用し、このような給湯源と、随時設置されるサブ浴槽とを延長接続管により直接的に接続することにより、注湯、追い焚き循環及び排水を容易に可能としたものである。
【００２０】
具体的には、第３の発明は、随時に設置されるサブ浴槽と、給湯機能を有し暖房用温水を循環供給する温水供給器と、この温水供給器と建物の各室内に設置された暖房機器とを互いに接続するよう予め配管された往き管路及び戻し管路からなる循環配管と、上記サブ浴槽に対し各一端部が開口するように延び各他端部が上記循環配管の往き管路及び戻し管路に対し各別に連通するよう着脱可能に接続される一対の延長接続管と、上記循環配管の往き管路及び戻し管路にはそれぞれ中間位置から建物の各室の少なくとも一の室内に面する壁面まで予め延ばされた一対の分岐管路とを備えるものとする。加えて、上記一対の分岐管路の各先端部には上記壁面に予め固定されて上記各先端部を閉状態に維持するコンセントを設ける一方、上記一対の延長接続管の各他端部にはこの各他端部を閉状態に維持しかつ上記コンセントに対し着脱可能に嵌合接続されるプラグを設け、このプラグを上記コンセントに嵌合接続することにより、上記一対の延長接続管の内の一方の延長接続管はその一端部が上記サブ浴槽の浴槽壁にある吸い込み口に接続され他端部が上記戻し管路の分岐管の先端部に連通され、他方の延長接続管はその一端部が上記サブ浴槽の浴槽壁にある吐出口に接続され他端部が上記往き管路の分岐管の先端部に連通される構成とすることを特定事項とするものである。
【００２１】
この第３の発明においても、サブ浴槽と一対の延長接続管との接続をサブ浴槽に取り付けた循環アダプタにより第１の発明において説明したものと同様に行うようにすればよい。また、コンセント及びプラグを第１の発明において説明したものと同様に、閉状態に維持するように付勢され嵌合時の押圧力を受けて開状態に位置変換する第１もしくは第２の閉止弁を備えるようにすればよい。さらに、循環配管と一対の分岐管路との分岐部位に第１の発明において説明したものと同様に三方切換弁を介装するようにしてもよい。なお、この第３の発明の場合には一対の分岐管路の各先端部に設けられたコンセントにより常時は閉状態に維持されているため、上記の三方切換弁は必ずしも必要ではない。
【００２２】
以上の第１〜第３の各発明において、「固定浴槽」とは例えば浴室内に通常設置されている一般の浴槽のことであり、「サブ浴槽」とは原則として浴室以外の任意の居室もしくは寝室に一時的に仮に設置されるもの、または、継続的に設置されるものの常時は非使用状態に設置されるものである。このようなサブ浴槽としては、合成ゴムにより形成された空気膨張式の浴槽、防水シートを用いた組立式の浴槽、壁面に収納式に設けられた浴槽、あるいは、合成樹脂により成形された浴槽等を適宜用いればよい。なお、病院施設等における広い面積を有する浴室においては、通常設置されている一般浴槽に加え、他のスペースに上記の如きサブ浴槽を随時設置する場合に本発明を適用するようにしてもよい。
【００２３】
「風呂釜」としては、少なくとも給湯機能及び追い焚き機能を有する通常の風呂釜であればよい。排水の場合には上記風呂釜の循環回路内に配設されている水抜き栓等を活用して例えば手動操作により循環回路の一部を開放するようにしてもよいが、積極的にその追い焚き循環回路中に排水機能を付加するようにしてもよい。
【００２４】
「延長接続管」としては、合成ゴムもしくは軟質合成樹脂により形成された柔軟性を有するホース、あるいは、金属もしくは硬質合成樹脂により形成された直管及び曲がり管とを組み合わせたもの等で構成すればよい。
【００２５】
「分岐管路」は建物の壁内の配管スペースに沿って延ばし、その先端部のコンセントが室内空間に露出するように配設すればよい。
【００２６】
上記の第１の発明の場合、サブ浴槽を使用して被介護者等の入浴を行うには、建物内の任意の部屋にサブ浴槽を設置し、一対の延長接続管の一端部をサブ浴槽内に開口させる一方、他端部を循環配管の開口端部もしくは分岐管路のコンセントに嵌合接続させるだけで準備が終わる。この際、プラグをコンセントに嵌合接続させるだけで連通し、使用後に分離すれば自動的に閉状態に復帰するため延長接続管内もしくは分岐管路内の残り湯水により室内が濡れる心配もない。次に、風呂釜を給湯運転させて上記循環配管の往き管路及びこれに連通された片方の延長接続管を通して注湯すれば、入浴が可能になる。そして、上記風呂釜を追い焚き運転に切換えて最適な湯温になるまで追い焚きすることにより、湯温調整が容易に可能になり時間経過に伴う湯温の低下が確実に防止される。入浴が終われば、風呂釜側に設けられている循環ポンプの作動によりサブ浴槽内の湯水が排水される。
【００２７】
この第１の発明においては、一対の分岐管路を予め建物内に配設しておくことにより延長接続管としてはコンセントまでの比較的短い長さのもので済み、その延長接続管の配置時の取り扱いが容易になる上に、その収納もコンパクトに行い得ることになる。また、上記の分岐管路及びコンセントを複数の部屋に予め配設しておくことにより、サブ浴槽を設置する部屋の選択についての自由度が増大し、サブ浴槽による入浴が必要となる状況に応じて設置する部屋の選択が可能となる。
【００２８】
また、第２の発明の場合、サブ浴槽を使用して被介護者等の入浴を行うには、建物内のコンセントが設けられている部屋もしくはその近傍の部屋にサブ浴槽を設置し、一対の延長接続管の一端部をサブ浴槽内に開口させる一方、他端部のプラグを上記コンセントに嵌合接続させて循環配管に連通させるだけで準備が終わる。次に、第１の発明と同様に風呂釜を給湯運転させて上記循環配管の往き管路及びこれに連通された片方の延長接続管を通して注湯すれば、入浴が可能になる。そして、上記風呂釜を追い焚き運転に切換えて最適な湯温になるまで追い焚きすることにより、湯温調整が容易に可能になり時間経過に伴う湯温の低下が確実に防止される。入浴が終われば、風呂釜側に設けられている循環ポンプの作動によりサブ浴槽内の湯水が排水される。
【００２９】
さらに、第３の発明の場合、サブ浴槽を使用して被介護者等の入浴を行うには、第２の発明の場合と同様に、建物内のコンセントが設けられている部屋もしくはその近傍の部屋にサブ浴槽を設置し、一対の延長接続管の一端部をサブ浴槽内に開口させる一方、他端部のプラグを上記コンセントに嵌合接続させて循環配管に連通させるだけで準備が終わる。次に、温水供給器から暖房機器に対し循環されている暖房用温水を上記循環配管の往き管路及びこれに連通された片方の延長接続管を通して注湯すれば、入浴が可能になる。そして、上記温水供給器の温度調整機能を利用してサブ浴槽と温水供給器との間に湯水を循環させて最適な湯温にすることにより、湯温調整が容易に可能になり時間経過に伴う湯温の低下も確実に防止される。入浴が終われば、温水供給器側に設けられている循環ポンプの作動によりサブ浴槽内の湯水が排水される。
【００３０】
以上の第２または第３の各発明においては、使用後の片づけのためにプラグをコンセントから引き抜いも、それぞれが自動的に閉状態に復帰するため延長接続管内もしくは分岐管路内の残り湯水により室内が濡れる心配もない。また、一対の分岐管路が予め建物内に配設されているため、延長接続管としてはコンセントまでの比較的短い長さのもので済み、その延長接続管の配置時の取り扱いが容易になる上に、その収納もコンパクトに行い得ることになる。さらに、上記の分岐管路及びコンセントを複数の部屋に予め配設しておくことにより、サブ浴槽を設置する部屋の選択についての自由度が増大し、サブ浴槽による入浴が必要となる状況に応じて設置する部屋の選択が可能となる。
【００３１】
【発明の効果】
以上、説明したように、第１〜第３のいずれかの発明の随時設置式風呂システムによれば、随時に設置されるサブ浴槽に対する湯水の搬入・搬出作業を省略して注湯、追い焚き循環による湯温調整、及び、使用後の排水を自動的にかつ確実に実現することができる。これにより、被保護者もしくは被介護者を固定設置の一般浴槽以外に設置された浴槽に入浴させる際の重労働を省略して入浴介護作業の軽減化、省力化を図ることができる一方、追い焚き循環等による適切かつ確実な湯温調整により入浴する被介護者にとっても快適な入浴を実現することができるようになる。
【００３２】
【発明の実施の形態】
以下、本発明の実施形態を図面に基づいて詳細に説明する。
【００３３】
＜第１実施形態＞
図１は本発明の第１実施形態に係る随時設置式風呂システムを示す。同図において、１は浴室内に固定的に設置された固定浴槽、２はこの固定浴槽１に対し注湯及び追い焚きを行う給湯器付風呂釜、３はこの風呂釜２と上記固定浴槽１との間に配設された循環配管、４は建物内の任意の部屋に対し随時に設置されるサブ浴槽、５，５は上記固定浴槽１及びサブ浴槽４に取り付けられた循環アダプタ、６，６は一対の延長接続管である。
【００３４】
上記風呂釜２は、給湯回路２１と、追い焚き回路２２と、給湯回路２１から出湯される湯水を追い焚き回路２２に注湯する注湯回路２３とを備えている。
【００３５】
上記給湯回路２１は、一般家庭用水道管に接続された給水管路２４から給湯側熱交換器２５に導入される水を給湯側燃焼バーナ２６の燃焼熱により加熱し、加熱後の湯水を出湯管路２７を通して下流端の給湯栓２８まで出湯させるようになっている。上記給水管路２４と出湯管路２７とには上記給湯側熱交換器２５をバイパスするバイパス管路２９がそれぞれ連通され、このバイパス管路２９に介装された図示省略の水量調整弁の開度制御により上記熱交換器２５からの湯水に水を流入させて給湯栓２８から出る湯水の温度調整が行われるようになっている。上記燃焼バーナ２６は、図示省略の燃料供給管から所定量の燃料の供給を受ける一方、送風ファン３０から燃焼用空気の供給を受けるようになっている。
【００３６】
そして、上記燃焼バーナ２６の着火及び燃料供給量と、送風ファン３０の回転数に基づく送風量とが図示省略のコントローラにより設定温度に対応する目標出湯号数に基づいてフィードフォワード制御される一方、給水管路２４に介装された給水量センサ３１並びに図示省略の給水温度センサ及び出湯温度センサ等からの検出値に基づく実際の出湯号数に基づいてフィードバック制御されるようになっている。なお、上記コントローラはＭＰＵ及びメモリー等により構成され、図示省略のリモートコントローラ（リモコン）からの各種運転指令や温度設定指令等に基づいて上記の給湯制御や後述の注湯、追い焚き及び排水の各制御が行われるようになっている。
【００３７】
バイパス管路２９との合流位置よりも下流側の出湯管路２７には水量調整用の電磁比例弁３２が介装され、この電磁比例弁３２よりも下流側の出湯管路２７から上記注湯回路２３が分岐されている。
【００３８】
上記追い焚き回路２２は、戻し管路３３から循環ポンプ３４の吸い込み作動により追い焚き側熱交換器３５に戻される湯水を追い焚き側燃焼バーナ３６の燃焼熱によりさらに加熱し、加熱後の湯水を往き管路３７を通して戻し、追い焚き循環させるようになっている。上記循環ポンプ３４の吐出側（下流側）の戻し管路３３には、戻し湯量センサ３８と三方切換弁３９と図示省略の戻し湯温度センサとが介装されている。上記三方切換弁３９から排水管路４０が延び、三方切換弁３９の排水側への切換操作もしくは切換制御により戻し管路３３を通して戻される湯水の排水が行われるようになっている。上記の戻し管路３３は開口端部である上流端が固定浴槽１に取り付けられた循環アダプタ５の後述の吸い込み口    に連通され、下流端が上記熱交換器３５に連通されている。一方、往き管路３７は上流端が熱交換器３５に連通され、開口端部である下流端が上記循環アダプタ５の吐出口に連通されている。これら戻し管路３３と往き管路３７とによって上記循環配管３が構成されている。
【００３９】
また、上記追い焚き側燃焼バーナ３６は、これに燃焼用空気を供給する送風ファン４１と共にその着火・燃料供給量及び送風量とが上記コントローラにより制御されるようになっている。この追い焚き制御は、上記戻し湯温度センサからの検出値に基づいてリモコンに設定された湯温になるように段階的に切換制御されるようになっている（追い焚き制御）。また、上記三方切換弁３９はリモコンから排水指令が発せられると、上記コントローラにより排水側に切換えられると共に戻し湯量センサ３８からの検出値に基づいて循環ポンプ３４が排水終了まで作動される（排水制御）。
【００４０】
上記注湯回路２３は、上記出湯管路２７の下流側から分岐して上記三方切換弁３９の下流側位置の戻し管路３３に連通する注湯管路４２を有し、この注湯管路４２を通して上記給湯回路２１からの湯水が供給されるようになっている。この注湯管路４２には、上記出湯管路２７から戻し管路３３にかけて、注湯される湯水の流量を検出す注湯量センサ４３と、開閉制御により注湯させる注湯用電磁弁４４と、追い焚き回路２２側湯水の給湯側への混入を防止する二段配置の逆止弁４５，４６とが順に配設されている。そして、上記コントローラは、リモコンから注湯指令と注湯量についての設定指令を受けて上記電磁弁４４を開き注湯量センサ４３からの検出値に基づいて設定注湯量になるまで自動注湯させるようになっている（注湯制御）。
【００４１】
サブ浴槽４は、例えば繊維強化プラスチック等の素材により形成されたものでその底部には図２にも示すように固定浴槽１と同様に循環アダプタ５が予め取り付けられている。
【００４２】
この循環アダプタ５は、図３に詳細を示すように浴槽壁に形成された貫通孔４１（固定浴槽１の場合は１１）に対し外側から接合されるアダプタ本体５１と、上記貫通孔４１に対し内側から接合される漏水防止用の浴槽ボルトパッキン５２と、浴槽ボルト５３と、仕切体５４と、フィルタキャップ５５とを備えたものである。
【００４３】
上記アダプタ本体５１は、貫通孔４１とほぼ同じ内径を有し浴槽側が開放された有底の凹状筒部５１１の底壁に対し小径筒の吸い込み口５１２が貫通しその周囲の所定部位に吐出口５１３（固定浴槽１側の場合を示す図４参照）が貫通して連通されている。そして、上記吸い込み口５１２の外側突部に対しサブ浴槽４の場合には一方の延長接続管６が接続され、固定浴槽１の場合には戻し管路３３が接続されている。また、上記吐出口５１３の外側突部に対しサブ浴槽４の場合には他方の延長接続管６が接続され、固定浴槽１の場合には往き管路３７が接続されている。
【００４４】
上記浴槽ボルト５３は、上記筒部５１１の内周面に対しねじ込まれる筒部５３１と、上記浴槽ボルトパッキン５２を浴槽壁との間に挟み込むフランジ部５３２とを有し、このフランジ部５３２にはそれぞれねじ孔を有し浴槽内方に突出する多数の突起部５３３が一体に形成されている。
【００４５】
上記仕切体５４は、上記吸い込み口５１２に外嵌連通されて浴槽内側に開口する連通孔部５４１と、上記吸い込み口５１２の周囲のドーナッツ状空間と連通する外周孔部５４２とを有し、適宜数（図例では３つ）の突起部５３３のねじ孔に対しそれぞれねじ５４３が貫通されて締め付けられるようになっている。
【００４６】
また、上記フィルタキャップ５５は、上記仕切体５４に対し外嵌されて係止されるようになっている。
【００４７】
一対の延長接続管６，６は、合成ゴムを主体として補強層を有する円形のゴムホースにより構成されたものであり、各種センサの信号ケーブル６０（図２参照）と共に適宜間隔ごとにテープ６１等により束ねられている。上記の各延長接続管６としては、例えばＥＰＤＭ（エチレン−プロピレン三量体）のように耐熱老化性に優れた合成ゴム製の内面層６２（図４参照）と、その外周を取り囲む繊維補強層６３と、例えばＰＶＣ（ポリ塩化ビニール）系エラストマーのように取り扱い性に優れた合成樹脂製の外面層６４との多層構造を有するように形成すればよい。
【００４８】
上記一対の延長接続管６，６の固定浴槽１側の端部にはコネクタ７が予め接続され、このコネクタ７を固定浴槽１側の循環アダプタ５に対し着脱可能に連結することにより接続されるようになっている。
【００４９】
上記コネクタ７は、図４に示すように、循環アダプタ５からフィルタキャップ５５及び仕切体５４を取り外した状態で浴槽ボルト５３に対し連結されるように構成されている。すなわち、上記コネクタ７は、フランジ状の基板部７１と、この基板部７１から先端側（図４の右側）に開放して突出する外筒部７２と、この外筒部７２と同様に先端側に突出して開口する小径の内筒部７３と、この内筒部７３と連通して上記基板部７１から基端側（同図の左側）に突出する第１接続部７４と、上記内筒部７３及び外筒部７２の両者間のドーナッツ状空間７５と連通して上記基板７１から基端側に突出する第２接続部７６とが一体に形成されたものである。上記第１接続部７４に対し一端がサブ浴槽側循環アダプタ５の吸い込み口５１２に接続された延長接続管６の他端が外嵌されて接続され、上記第２接続部７６に対し一端がサブ浴槽側循環アダプタ５の吐出口５１３に接続された延長接続管６の他端が外嵌されて接続されている。そして、このコネクタ７は、上記外筒部７２が上記浴槽ボルト５３の内周面に対しシールリング（例えばＯリング）７７を介して密に内嵌される一方、内筒部７３が同様にシールリング７８を介して吸い込み口５１２に密に外嵌された状態で、上記基板部７１の外周部を貫通するねじ７９，７９，…がそれぞれ突起部５３３のねじ孔に対しねじ込まれて循環アダプタ５に連結されている。
【００５０】
これにより、往き管路３７は循環アダプタ５の吐出口５１３、ドーナッツ状空間７５及び第２接続部７６を通して往き側の延長接続管６と連通され、一方、戻し側の延長接続管６は第１接続部７４、内筒部７３及び吸い込み口５１２を通して戻し管路３３と連通されるようになる。
【００５１】
例えば被介護者に対しサブ浴槽４による入浴を行うには、暖房等の環境が整った部屋に上記サブ浴槽４を一時的に設置し、一対の延長接続管６，６の一端側をサブ浴槽側の循環アダプタ５に接続する一方、他端側のコネクタ７を固定浴槽１の循環アダプタに接続すればよく、これだけで準備は終了する。そして、風呂釜２の側で給湯回路２１を運転作動させて所定温度の湯水を出湯させ、併せて、その出湯された湯水を注湯回路２３、熱交換器３５、往き管路３７、及び、往き側の延長接続管を通してサブ浴槽４に注湯する。注湯制御により所定の設定水位まで注湯されれば自動的に注湯が停止し、引き続いて所定の設定温度までの昇温及び所定温度の維持のために追い焚き制御が開始される。すなわち、サブ浴槽４内の湯水が循環ポンプ３４の作動により戻し側の延長接続管６及び戻し管路３３を通して熱交換器３５に戻され、この熱交換器３５で加熱された湯水が上記往き管路３７及び往き側の延長接続管６を通して上記サブ浴槽４に再び戻され循環される。この際、往き側の延長接続管６のサブ浴槽４側位置に三方切換弁６５（図１参照）を介装し、この三方切換弁６５の切換えによりサブ浴槽４に供給される湯水をシャワー６６から噴出させるようにしてもよい。
【００５２】
入浴が終われば、排水制御の開始をリモコンにより指令すれば、三方切換弁３９が排水管路４０側に切換えられ上記循環ポンプ３４が作動される。これにより、サブ浴槽４内の湯水が戻し側の延長接続管６、戻し管路３３及び排水管路４０を通して系外の排水口に排出される。
【００５３】
＜第２実施形態＞
図５は、本発明の第２実施形態に係る随時設置式風呂システムを示す。同図において、８，８はそれぞれ三方切換弁９を介して循環配管３の戻し管路もしくは往き管路３７から分岐した分岐管路であり、各分岐管路はサブ浴槽４が設置される予定の部屋を仕切る壁面Ｗまで壁内配管スペースに沿って予め設置されている。そして、その先端はコンセント１０に連結され、このコンセント１０は上記壁面Ｗから室内に臨んで露出するように固定されている。また、１１，１１は第１実施形態と同様に形成された一対の延長接続管であり、本実施形態の場合にはサブ浴槽４から上記コンセントまで届く比較的短いものとされている。そして、各延長接続管１１の一端側は第１実施形態と同様にサブ浴槽４側の循環アダプタ５に接続される一方、他端側は上記コンセント１０に嵌合接続されるプラグ１２に接続されている。なお、同図中１３は閉止栓であり、この閉止栓１３は固定浴槽１の循環アダプタ５を閉止するようになっている。
【００５４】
上記三方切換弁９の例としては、図６に戻し管路３３の場合について示すように、戻し管路３３の途中に二つの弁室９１，９２と、両弁室９１，９２を往復動により開閉させる二弁付の弁軸９３とを備えたものを用いればよい。この場合、弁軸９３を同図の実線の如く左側に移動させれば第１弁室９１及び分岐管路８が遮断されてバイパス管路９４及び第２弁室９２を通して戻し管路３３が延長方向にのみ連通するようになり、同図の一点鎖線の如く右側に移動させれば第２弁室９２が遮断されて戻し管路３３は分岐管路８側にのみ連通するようになる。
【００５５】
上記コンセント１０は、図７にその一例を詳細に示すように、コンセント本体１０１内に対し軸方向に往復動可能に保持された第１閉止弁１０２と、この第１閉止弁１０２に対し一体に取り付けられて室内側に突出するピンロッド１０３と、上記第１閉止弁１０２を閉方向に付勢するバネ（例えばコイルスプリング）１０４とを備えたものである。この場合、上記コンセント本体１０１は一対のコンセント１０，１０が一体に組み合わされて同一の駆体を有するように形成されている。そして、上記各ピンロッド１０３が壁面Ｗと面一になるように上記コンセント本体１０１が壁面に固定されている。
【００５６】
一方、上記プラグ１２は、プラグ本体１２１に対し軸方向に往復動可能に保持された第２閉止弁１２２と、この第２閉止弁を閉方向に付勢するバネ（例えばコイルスプリング）１２３とを備えたものである。なお、図７中１２４は非使用時に漏水を確実に遮断するためのシールキャップであり、このシールキャップ１２４は使用時には取り外すようになっている。この場合においても、プラグ本体１２１は一対のプラグ１２，１２が一体に組み合わされて同一の駆体を有するように形成されている。
【００５７】
上記各プラグ１２をコンセント１０に嵌合接続させるには、上記のシールキャップ１２４を取り外し、各プラグ１２をコンセント１０に対し相対向させた状態で内嵌させればよい。これにより、第２閉止弁１２２の先端凹部に上記ピンロッド１０３が当たり、さらに各プラグ１２を突き当たりまで押し込むことによりピンロッド１０３及び第１閉止弁１０２がバネ１０４の付勢力に抗して開方向（図７の右側）に作動される。これと同時に上記第２閉止弁１２２もバネ１２３の付勢力に抗して開方向（同図の左側）に作動される。これにより、両閉止弁１０２，１２２が共に開状態となると共に各プラグ１２とコンセント１０とが互いにシールリングの摩擦力等の抜け止め機構が作用した状態で結合される。
【００５８】
なお、上記以外のその他の構成要素は第１実施形態のものと同様構成であるため、同一構成要素には第１実施形態と同一符号を付してその詳細な説明は省略する。
【００５９】
そして、本第２実施形態の場合、サブ浴槽４による入浴を行うには単に一対の延長接続管１１，１１のプラグ１２，１２を壁面Ｗにあるコンセント１０，１０に嵌合接続させ、各三方切換弁９を分岐管路８側に切換えるだけでよい。そして、第１実施形態の場合と同様に風呂釜２の給湯運転による注湯制御を行い、続いて追い焚き制御を行えばよい。また、使用終了時には排水制御を同様に行えばよい。
【００６０】
＜第３実施形態＞
図８は第３実施形態を示す。この第３実施形態は、第１実施形態と同様な風呂釜２からサブ浴槽４のための専用の戻し管路３３ａ及び往き管路３７ａからなる循環配管３ａを予め建物の壁内配管スペースに設置しておき、その戻し管路３３ａ及び往き管路３７ａの各先端を第２実施形態と同様なコンセント１０により壁面Ｗに固定しておくものである。そして、サブ浴槽４による入浴を行うには、各延長接続管１１のプラグ１２を上記コンセント１０に嵌合接続し、風呂釜２の作動により循環配管３ａを通して注湯、追い焚き循環、排水をそれぞれ行うようにすればよい。
【００６１】
＜第４実施形態＞
図９は第４実施形態を示す。この第４実施形態は、「風呂釜」としての温水供給器１４と、この温水供給器１４から建物の各部位に配設された複数の暖房機器１５，１５，…への往き管路３７ｂと、各暖房機器１５から上記温水供給器１４への戻し管路３３ｂとからなる既設の温水暖房回路を利用するものである。
【００６２】
そして、上記往き管路３７ｂ及び戻し管路３３ｂからなる循環配管３ｂに対しそれぞれ三方切換弁９を介して分岐管路９を設け、その先端にコンセント１０を接続してサブ浴槽４を設置する部屋の壁面Ｗに予め固定しておく。
【００６３】
この第４実施形態においても、サブ浴槽４による入浴を行うには、第３実施形態等と同様に各延長接続管１１のプラグ１２を上記コンセント１０に嵌合接続し、かつ、両三方切換弁９，９を分岐管路側に切換える。そして、温水供給器１４により循環配管３ｂ内に循環供給されている温水をサブ浴槽４に対し注湯し、循環による湯温維持を図り、使用後は温水供給器１４に内蔵されている図示省略の循環ポンプと排水管路を利用して排水すればよい。
【００６４】
＜他の実施形態＞
上記第１〜第４の実施形態では風呂釜２もしくは温水供給器１４が排水機能を有しており、その排水機能を利用してサブ浴槽４内の湯水の排水を行うようにしているが、これに限らず、上記の如き排水機能のない風呂釜もしくは温水供給器を随時設置式風呂システムの「風呂釜」として用いてもよい。具体的には、例えば第１実施形態もしくは第２実施形態において、図１もしくは第５に示す風呂釜２から排水管路４０及び三方切換弁３９を省略したものを「風呂釜」として用いてもよい。この場合におけるサブ浴槽４からの排水は、市販の排水ポンプを利用する、あるいは、サブ浴槽４の設置位置が固定浴槽１もしくは浴室等の排水口の各位置よりも高い場合には各延長接続管のコネクタ７を循環アダプタ５から外し重力の作用を利用してそれぞれ上記固定浴槽１内もしくは他の排水口に排水させるようにすればよい。
【００６５】
このようにたとえ排水機能のない風呂釜を用いた場合においても、サブ浴槽４に対する注湯と、その注湯された湯水の追い焚き循環による湯温調節とを共に自動的に行うことができることになる。しかも、一般家庭等に既に設置されている排水機能のない風呂釜等に対しサブ浴槽４及び延長接続管６，６等を新たに追加するだけで、本随時設置式風呂システムを簡易に構築することができ、被介護者等に対する快適な入浴を容易に実現し得ることになる。
【図面の簡単な説明】
【図１】本発明の実施形態を示す全体説明図である。
【図２】固定浴槽、サブ浴槽、及び、延長接続管を示す斜視図である。
【図３】循環アダプタの分解斜視図である。
【図４】コネクタと循環アダプタとの接続状態を示す断面図である。
【図５】第２実施形態を示す全体説明図である。
【図６】三方切換弁の一例を示す断面説明図である。
【図７】コンセントとプラグとの組み合わせ例を示す断面説明図である。
【図８】第３実施形態を示す説明図である。
【図９】第４実施形態を示す説明図である。
【符号の説明】
１              固定浴槽
２              給湯器付風呂釜（風呂釜）
３，３ａ，３ｂ  循環配管
４              サブ浴槽
５              循環アダプタ
６，１１        延長接続管
７              コネクタ
８              分岐管路
９              三方切換弁
１０            コンセント
１２            プラグ
１３            温水供給器
１０２          第１閉止弁
１０４          バネ
１２２          第２閉止弁
１２３          バネ
Ｗ              壁面
【図１】
0003546750.tif 000002
【図２】
0003546750.tif 000003
【図３】
0003546750.tif 000004
【図４】
0003546750.tif 000005
【図５】
0003546750.tif 000006
【図６】
0003546750.tif 000007
【図７】
0003546750.tif 000008
【図８】
0003546750.tif 000009
【図９】
0003546750.tif 000010